(57)【要約】      （修正有）【課題】着用者が乳幼児を抱いたり背負ったりした状態で着用できると共に、乳幼児への安全性を高める避難用ポンチョを提供する。【解決手段】覆い部に着用者の頭部が貫通する頭部開口部２Ａを有すると共に、頭部開口部を貫通した着用者の頭部に被せるフード部３Ａを有し、更に、覆い部の前面及び／又は後面に、乳幼児の頭部が貫通する乳幼児用頭部開口部２Ｂを有すると共に、乳幼児用頭部開口部を貫通した乳幼児の頭部に被せる乳幼児用フード部３Ｂを有する避難用ポンチョ。【選択図】図１
0003218491.tif 000002
【実用新案登録請求の範囲】
【請求項１】
着用者の身体を覆う覆い部の上部中央に前記着用者の頭部が貫通する頭部開口部を有すると共に、前記頭部開口部を貫通した前記着用者の前記頭部に被せるフード部を有した避難用ポンチョであって、
前記覆い部の前面及び／又は後面に、乳幼児の頭部が貫通する乳幼児用頭部開口部と、前記乳幼児用頭部開口部を貫通した前記乳幼児の前記頭部に被せる乳幼児用フード部とが備えられていることを特徴とする避難用ポンチョ。
【請求項２】
前記覆い部の前記前面の前記乳幼児用頭部開口部が、前記頭部開口部と連続するように一体開口されていることを特徴とする請求項１に記載の避難用ポンチョ。
【請求項３】
前記乳幼児用フード部の前記乳幼児の前記頭部に被せた状態を保持及び保持解除する保持部が備えられていることを特徴とする請求項１又は２に記載の避難用ポンチョ。
【請求項４】
前記保持部は、一端が前記覆い部に固着された紐状体と、前記紐状体の他端に連結されたクリップとを備え、前記クリップを前記乳幼児用フード部に挟み付けることで、前記乳幼児用フード部の前記乳幼児の前記頭部に被せた状態を保持するようにされていることを特徴とする請求項３に記載の避難用ポンチョ。
【請求項５】
前記覆い部及び前記フード部並びに乳幼児用フード部が、難燃性及び柔軟性並びに防水性を有していることを特徴とする記載の請求項１乃至４いずれか１項に記載の避難用ポンチョ。
【請求項６】
前記覆い部の前面及び／又は後面に、反射体が配されていることを特徴とする請求項１乃至５いずれか１項に記載の避難用ポンチョ。
【考案の詳細な説明】
【技術分野】
【０００１】
本考案は、避難時に乳幼児と共に被る避難用ポンチョに関する。
【背景技術】
【０００２】
避難用ポンチョは、例えば、下記特許文献１に記載されているように、着用者の身体を覆う覆い部を有すると共に、覆い部の上部中央に着用者の頭部が貫通する開口部を有し、且つ開口部を覆うように着用者の頭部に被せるフード部を有したものが知られている。
【先行技術文献】
【特許文献】
【０００３】
【特許文献１】実用新案登録第３１８１９０４号公報
【考案の概要】
【考案が解決しようとする課題】
【０００４】
しかしながら、特許文献１に記載の避難用ポンチョは、着用者のみを対象としたものであって、着用者が乳幼児を抱えて避難することが想定されておらず、乳幼児を持つ者が避難する場合に、使用が難しいという問題がある。
【０００５】
すなわち、着用者が乳幼児を抱いたり背負ったりした状態で着用できると共に、乳幼児への安全性を高めた避難用ポンチョが求められている。
【課題を解決するための手段】
【０００６】
着用者の身体を覆う覆い部の上部中央に前記着用者の頭部が貫通する頭部開口部を有すると共に、前記頭部開口部を貫通した前記着用者の前記頭部に被せるフード部を有した避難用ポンチョであって、前記覆い部の前面及び／又は後面に、乳幼児の頭部が貫通する乳幼児用頭部開口部と、前記乳幼児用頭部開口部を貫通した前記乳幼児の前記頭部に被せる乳幼児用フード部とが備えられていることを特徴とする避難用ポンチョにしたことである。
【０００７】
前記覆い部の前記前面の前記乳幼児用頭部開口部が、前記頭部開口部と連続するように一体開口されていることが好ましい。
【０００８】
前記乳幼児用フード部の前記乳幼児の前記頭部に被せた状態を保持及び保持解除する保持部が備えられていることが好ましい。
【０００９】
前記保持部は、一端が前記覆い部に固着された紐状体と、前記紐状体の他端に連結されたクリップとを備え、前記クリップを前記乳幼児用フード部に挟み付けることで、前記乳幼児用フード部の前記乳幼児の前記頭部に被せた状態を保持するようにされていることが好ましい。
【００１０】
前記覆い部の前面及び／又は後面に、反射体が配されていることが好ましい。
【図面の簡単な説明】
【００１１】
【図１】本考案に係る第１実施形態の避難用ポンチョの使用状態図である。
【図２】避難用ポンチョの正面図である。
【図３】図２の(３)-(３)線断面図である。
【図４】本考案に係る第２実施形態の避難用ポンチョの断面図である。
【考案を実施するための形態】
【００１２】
以下、本考案に係る第１実施形態の避難用ポンチョ（以下「ポンチョ」という）Ａを図１〜図３に基づいて説明する。
【００１３】
ポンチョＡは、図１に示すように、着用者Ｂが抱っこ紐(図示せず)等で乳幼児Ｃを抱きかかえた状態で着用することができるものである。
【００１４】
ポンチョＡは、図１〜図３に示すように、着用者Ｂの身体を覆う覆い部１と、覆い部１の前面１０と後面１１の境であって、着用者Ｂの肩部(上部)１２の中央に開口された頭部開口部２Ａと、頭部開口部２Ａを覆うように設けられたフード部３Ａと、覆い部１の前面１０に、頭部開口部２Ａと連続するように一体開口された乳幼児用頭部開口部２Ｂと、乳幼児用頭部開口部２Ｂを覆うように設けられた乳幼児用フード部３Ｂと、乳幼児用フード部３Ｂの乳幼児Ｃの頭部に被せた状態を保持及び保持解除する保持部４と、覆い部１の前面１０と後面１１の下端付近に貼り付けられた反射体５とを備えている。
【００１５】
ポンチョＡは、覆い部１及びフード部３Ａ並びに乳幼児用フード部３Ｂが、難燃性、防水性、柔軟性を有しており、着用者Ｂが着用したときに、火の粉、飛来物、雨等から着用者Ｂ及び乳幼児Ｃを保護し、仕舞う際には、容易に折り畳むことができるようになっている。
【００１６】
頭部開口部２Ａと乳幼児用頭部開口部２Ｂとは、覆い部１の上部から前面１０の下部に向かって、連続するように一体開口されており、上部側を頭部開口部２Ａとして確保すると共に、下部側を乳幼児用頭部開口部２Ｂとして確保することで、ポンチョＡを着用したときに、着用者Ｂの頭部と着用者Ｂが抱きかかえた乳幼児Ｃの頭部が、覆い部１の外側に同時に貫通できるようになっている。
【００１７】
フード部３Ａは、頭部開口部２Ａの縁２０Ａに沿うように連設され、フード部３Ａの開放部３０Ａが前方を向くようにされていると共に、開放部３０Ａの縁３１Ａが頭部開口部２Ａの縁２０Ａと連続するようにされている。
【００１８】
乳幼児用フード部３Ｂは、乳幼児用頭部開口部２Ｂの下方側の縁２０Ｂに沿うように連設され、乳幼児用フード部３Ｂの開放部３０Ｂが着用者Ｂを向くようにされていると共に、開放部３０Ｂの縁３１Ｂが乳幼児用頭部開口部２Ｂの縁２０Ｂと連続するようにされている。
【００１９】
フード部３Ａ及び乳幼児用フード部３Ｂは、ポンチョＡを着用した状態で、夫々着用者Ｂと乳幼児Ｃの頭部に対して被せたり脱がせたりすることが自在である。
【００２０】
保持部４は、一端が覆い部１の前面１０に固着された紐状体４０と、紐状体４０の他端に連結されたクリップ４１とを備え、頭部開口部２Ａを挟んで左右に夫々備えられている。
【００２１】
保持部４は、乳幼児用フード部３Ｂを乳幼児Ｃの頭部に被せた状態で、クリップ４１が乳幼児用フード部３Ｂの開放部３０Ｂと対向するようにされており、開放部３０Ｂの縁３１Ｂをクリップ４１で挟み付けることで、乳幼児用フード部３Ｂを乳幼児Ｃの頭部に被せた状態を保持することができる。
【００２２】
保持部４の構成は、例示したクリップ４１によって、乳幼児用フード部３Ｂの開放部３０Ｂの縁３１Ｂを挟み付けるようにした構成に限らず、クリップ４１に換えて、紐状体４０の端部と乳幼児用フード部３Ｂとにわたってスナップボタン、或いは面状ファスナを設けて、このスナップボタン、或いは面状ファスナの掛合一体化によって、乳幼児用フード部３Ｂを乳幼児Ｃの頭部に被せた状態を保持するようにしてもよい(図示せず)。
【００２３】
反射体５は、柔軟性を有するテープ状のものであり、照射光を反射する機能有するもの、蓄光機能を有するもの等が例示でき、夜間の避難時において反射又は蓄光による発光によって、着用者Ｂの存在を示すことができる。
【００２４】
以上のような構成のポンチョＡによると、着用者Ｂが乳幼児Ｃを抱っこ紐で抱きかかえた状態で着用することによって、着用者Ｂの頭部が頭部開口部２Ａから覆い部１の外側へ貫通すると共に、乳幼児Ｃの頭部が乳幼児用頭部開口部２Ｂから覆い部１の外側へ貫通する。
【００２５】
そして、貫通した頭部に夫々フード部３Ａ、乳幼児用フード部３Ｂを被せると共に、保持部４のクリップ４１を乳幼児用フード部３Ｂに挟み付けることによって、乳幼児用フード部３Ｂを乳幼児Ｃの頭部に被せた状態を保持できる。
【００２６】
すなわち、ポンチョＡは、着用者Ｂ及び着用者Ｂが抱きかかえた乳幼児Ｃの頭部を含む身体を保護できるので、極めて安全に非難することができる。
【００２７】
また、ポンチョＡの着用時には、着用者Ｂと乳幼児Ｃとが互いの顔を見ることができるので、避難時に乳幼児Ｃが感じる不安感を低減することができると共に、着用者Ｂが乳幼児Ｃの様子を見ながら避難することができる。
【００２８】
次に、本考案に係る第２実施形態のポンチョＡ’を図４に基づいて説明する。尚、第１実施形態のポンチョＡと重複する部位については、図面に同符号を付すことにより説明を省略する。
【００２９】
ポンチョＡ’は、幼児用頭部開口部２Ｂ及び乳幼児用フード部３Ｂを、覆い部１の後面１１に配置したものであり、着用者Ｂが乳幼児Ｃをおんぶ紐(図示せず)等を使用して背負った状態で着用したとき、乳幼児Ｃの頭部が乳幼児用頭部開口部２Ｂから覆い部１の外側に貫通すると共に、貫通した乳幼児Ｃの頭部に乳幼児用フード部３Ｂを被せて、保持部４で乳幼児用フード部３Ｂを乳幼児Ｃの頭部に被せた状態を保持することで、背負った乳幼児Ｃの頭部を含む身体を保護することができる。
【００３０】
すなわち、ポンチョＡ’は、着用者Ｂ及び着用者Ｂが背負った乳幼児Ｃの頭部を含む身体を保護できるので、極めて安全に非難することができる。
【００３１】
ポンチョＡ、Ａ’では、覆い部１の前面１０と後面１１の片面に、幼児用頭部開口部２Ｂ及び乳幼児用フード部３Ｂを配置した構成としているが、本考案では、覆い部１の前面１０と後面１１との両面に、幼児用頭部開口部２Ｂ及び乳幼児用フード部３Ｂを配置した構成としてもよい(図示せず)。
【００３２】
なお、本考案は、例示した実施の形態に限定するものでは無く、実用新案登録請求の範囲の各項に記載された内容から逸脱しない範囲の構成による実施が可能である。
【符号の説明】
【００３３】
Ａ：ポンチョ
Ａ’：ポンチョ
Ｂ：着用者
Ｃ：乳幼児
１：覆い部
１０：前面
１１：後面
１２：肩部
２Ａ：頭部開口部
２Ｂ：乳幼児用頭部開口部
３Ａ：フード部
３Ｂ：乳幼児用フード部
４：保持部
４０：紐状体
４１：クリップ
５：反射体
【図１】
0003218491.tif 000003
【図２】
0003218491.tif 000004
【図３】
0003218491.tif 000005
【図４】
0003218491.tif 000006